(57)【要約】【課題】給電を断続操作するスイッチをハンドルの下方近傍に配置することを可能にし、それによって、機器本体上面の使用スペース拡大を図り、しかも、スイッチをハンドルの下方近傍に配置することによる不都合も解消し得る手注ぎ式機器を提供する。【解決手段】液体を収容する機器本体１が、機器本体１の上方から下方へ向けて延設されたハンドル９と、液体を加熱する加熱手段への電源からの給電を断続操作するスイッチ１５を備えている手注ぎ式機器で、スイッチ１５が、ハンドル９の下方側の機器本体１の側部下方部位に設けられ、そのスイッチ１５が、平面視において、機器本体１の側方表面とハンドル９の側方表面とを結ぶ２本の接線ラインＬ１，Ｌ２の内側に位置し、かつ、側面視において、機器本体１の底端部１ａとハンドル９の下方表面９ａとを結ぶ１本の接線ラインより機器本体１側に位置する。【選択図】図５
2010082381.tif 000002
【特許請求の範囲】
【請求項１】
液体を収容する機器本体が、その機器本体の上方から下方へ向けて延設されたハンドルと、前記機器本体内の液体を加熱する加熱手段への電源からの給電を断続操作するスイッチを備えている手注ぎ式機器であって、
前記スイッチが、前記ハンドルの下方側の前記機器本体の側部下方部位に設けられ、そのスイッチが、前記機器本体の平面視において、その機器本体の側方表面と前記ハンドルの側方表面とを結ぶ２本の接線ラインの内側に位置し、かつ、前記機器本体の側面視において、その機器本体の底端部と前記ハンドルの下方表面とを結ぶ１本の接線ラインより機器本体側に位置するように構成してある手注ぎ式機器。
【請求項２】
前記スイッチを保護するスイッチガードが、前記スイッチの周囲の一部を覆うように前記機器本体から突設され、そのスイッチガードが、前記機器本体の平面視において、その機器本体の側方表面と前記ハンドルの側方表面とを結ぶ２本の接線ラインの内側に位置し、かつ、前記機器本体の側面視において、その機器本体の底端部と前記ハンドルの下方表面とを結ぶ１本の接線ラインより機器本体側に位置するように構成してある請求項１に記載の手注ぎ式機器。
【請求項３】
前記スイッチガードが、前記機器本体の平面視において、前記ハンドルの幅内に位置するように構成してある請求項２に記載の手注ぎ式機器。
【請求項４】
前記スイッチガードが、前記スイッチの下方を開放した状態で、その上方と左右の横側方を覆うコの字状に構成してある請求項２または３に記載の手注ぎ式機器。
【請求項５】
前記スイッチガードが、前記機器本体と別体に構成されて機器本体に取り付けられている請求項２〜４のいずれか１項に記載の手注ぎ式機器。
【発明の詳細な説明】
【技術分野】
【０００１】
本発明は、液体を収容する機器本体が、その機器本体の上方から下方へ向けて延設されたハンドルと、前記機器本体内の液体を加熱する加熱手段への電源からの給電を断続操作するスイッチを備えている手注ぎ式機器に関する。
【背景技術】
【０００２】
このような手注ぎ式機器としては、例えば、電気ケトルがあり、従来の電気ケトルでは、給電を断続操作するスイッチが機器本体の上面に設けられたものが多く、この点に改良の余地があった（実際に実施されてはいるが、適切な特許文献などは見当たらない）。
すなわち、この種のスイッチは、それほど頻繁に断続操作するものではなく、できれば、あまり目立たない箇所、例えば、ハンドル下方の機器本体の側部部位に設けて、機器本体の上面については、他の表示機器などを配置するために使用スペースの拡大を図るのが良く、また、外観上からも好ましい。
【発明の開示】
【発明が解決しようとする課題】
【０００３】
しかし、従来の電気ケトルでは、ハンドルが機器本体の上方から下方へ向けて延設され、さらに、そのハンドルの下方端部が機器本体に連設されて、スイッチをハンドル下方側の機器本体の側部下方部位に設けるスペースのないものが多く、やむを得ず、機器本体の上面に設けていたのが実情である。
このような問題点を解決するには、機器本体の上方から下方へ向けて延設するハンドルの下方側にスイッチを設けるだけのスペースを確保して、そのスペースにスイッチを設けることが考えられる。
しかしながら、スイッチを機器本体の側部下方部位に設けた場合、ハンドルを手で把持した際などに誤って機器本体をテーブル上などで転倒させると、スイッチがテーブル面に当接して、損傷したり破損するという別の不都合が生じる可能性がある。
【０００４】
本発明は、このような従来の問題点に着目したもので、その目的は、給電を断続操作するスイッチを機器本体の側部下方部位に配置することを可能にし、それによって、機器本体上面の使用スペース拡大を図り、しかも、スイッチを機器本体の側部下方部位に配置することによる不都合も解消し得る手注ぎ式機器を提供することにある。
【課題を解決するための手段】
【０００５】
本発明の第１の特徴構成は、液体を収容する機器本体が、その機器本体の上方から下方へ向けて延設されたハンドルと、前記機器本体内の液体を加熱する加熱手段への電源からの給電を断続操作するスイッチを備えている手注ぎ式機器であって、前記スイッチが、前記ハンドルの下方側の前記機器本体の側部下方部位に設けられ、そのスイッチが、前記機器本体の平面視において、その機器本体の側方表面と前記ハンドルの側方表面とを結ぶ２本の接線ラインの内側に位置し、かつ、前記機器本体の側面視において、その機器本体の底端部と前記ハンドルの下方表面とを結ぶ１本の接線ラインより機器本体側に位置するように構成してあるところにある。
【０００６】
本発明の第１の特徴構成によれば、スイッチが、ハンドルの下方側の機器本体の側部下方部位に設けられているので、機器本体上面の使用スペースの拡大を図ることができるとともに、外観的にもスッキリとした好ましいものとなる。
その反面、例えば、ハンドルを手で把持した際などに誤って機器本体をテーブル上などで転倒させると、スイッチがテーブル面に当接して、損傷したり破損する可能性がある。
しかし、本発明の第１の特徴構成によれば、スイッチが、機器本体の側面視において、機器本体の底端部とハンドルの下方表面とを結ぶ１本の接線ラインより機器本体側に位置するので、スイッチがテーブル面に当接する前に、機器本体の底端部とハンドルの下方表面がテーブル面に当接し、その結果、スイッチがテーブル面に当接することはなく、スイッチの損傷や破損が回避される。
その後、機器本体が横倒しになっても、スイッチが、機器本体の平面視において、機器本体の側方表面とハンドルの側方表面とを結ぶ２本の接線ラインの内側に位置するので、スイッチがテーブル面に当接することはなく、スイッチの損傷や破損は確実に回避され、その結果、機器本体上面の使用スペースの拡大を図り、かつ、スイッチの使用性も確保しながら、スイッチの安全性も確保することが可能となる。
【０００７】
本発明の第２の特徴構成は、前記スイッチを保護するスイッチガードが、前記スイッチの周囲の一部を覆うように前記機器本体から突設され、そのスイッチガードが、前記機器本体の平面視において、その機器本体の側方表面と前記ハンドルの側方表面とを結ぶ２本の接線ラインの内側に位置し、かつ、前記機器本体の側面視において、その機器本体の底端部と前記ハンドルの下方表面とを結ぶ１本の接線ラインより機器本体側に位置するように構成してあるところにある。
【０００８】
本発明の第２の特徴構成によれば、スイッチを保護するスイッチガードが、スイッチの周囲の一部を覆うように機器本体から突設されているので、例えば、ハンドルを手で把持する際やハンドルから手を離す際に、手指によってスイッチを誤って操作することが防止される。
そして、そのスイッチガードも、機器本体の平面視において、機器本体の側方表面とハンドルの側方表面とを結ぶ２本の接線ラインの内側に位置し、かつ、機器本体の側面視において、機器本体の底端部とハンドルの下方表面とを結ぶ１本の接線ラインより機器本体側に位置するので、上述したスイッチと同様、たとえ機器本体が転倒しても、スイッチガードがテーブル面に当接することはなく、スイッチガードの損傷や破損が確実に回避される。
【０００９】
本発明の第３の特徴構成は、前記スイッチガードが、前記機器本体の平面視において、前記ハンドルの幅内に位置するように構成してあるところにある。
【００１０】
本発明の第３の特徴構成によれば、スイッチガードが、機器本体の平面視において、ハンドルの幅内に位置するので、例えば、機器本体が突起物上に転倒しても、スイッチガードとそのスイッチガードにより覆われたスイッチは、ハンドルにより保護されて損傷や破損が回避される。
【００１１】
本発明の第４の特徴構成は、前記スイッチガードが、前記スイッチの下方を開放した状態で、その上方と左右の横側方を覆うコの字状に構成してあるところにある。
【００１２】
本発明の第４の特徴構成によれば、スイッチガードが、スイッチの下方を開放した状態で、その上方と左右の横側方を覆うコの字状に構成してあるので、手指の接触による誤操作が合理的に回避される。
【００１３】
本発明の第５の特徴構成は、前記スイッチガードが、前記機器本体と別体に構成されて機器本体に取り付けられているところにある。
【００１４】
本発明の第５の特徴構成によれば、スイッチガードが、機器本体と別体に構成されて機器本体に取り付けられているので、機器本体とスイッチガードを別々に製作して、製作の容易化を図ることができるとともに、例えば、スイッチガードを透明な材料で形成して、スイッチの視認性の向上を図ることが可能となり、また、スイッチガードが破損しても、そのスイッチガードだけを簡単に取り替えることも可能となる。
【発明を実施するための最良の形態】
【００１５】
本発明による手注ぎ式機器の実施の形態を図面に基づいて説明する。
本発明に係る手注ぎ式機器としては、例えば、電気ケトルがあり、図１および図２に示すように、電気ケトルは、機器本体としてのケトル本体１と電源プレート２から構成されている。
電源プレート２は、外形が円形のプレートで、その上面の中心部に給電機構３を備え、その下面部は電源ケーブル４の収納部となっている。使用時には、電源プレート２の下面部から電源ケーブル４を引き出し、コンセント(図外)に接続することで、給電機構３を介して、ケトル本体１に給電可能となる。
【００１６】
給電機構３は、電源プレート２の上面より突出して形成されており、図４に示すように、中心穴３ａと、その中心穴３ａと同心状の環状穴３ｂを備え、これら穴３ａ，３ｂに設けられる電極部（給電用）と、給電機構３の周方向一部に設けられる検知用電極３ｃを備えている。この検知用電極３ｃは、電源プレート２とケトル本体１とが給電姿勢にあることを検知する。
電源プレート２上にケトル本体１が載置された給電状態（給電姿勢）では、ケトル本体１に設けられる受電機構５を介して給電が可能となり、その受電機構５は、ケトル本体１の底面から引退して形成され、中心ガイドピン５ａと、その中心ガイドピン５ａと同心状の内径側環状電極５ｂと、さらに外径側に設けられる外径側環状電極５ｃを備えている。これら３つの電極は、受電用の一対の電極と受電姿勢検知用の電極であり、電源プレート２上にケトル本体１が載置された給電状態（給電姿勢）において、給電機構３がケトル本体１内に嵌り込み、互いの電極が電気的に接続されて受電が可能となる。
【００１７】
ケトル本体１は、上側開放の概略容器形状に構成されて、液体の一例である水を収容する本体ボディ６と、その開口を覆う蓋体７とを主な部材として構成されている。
この蓋体７は、図３に示すように、ケトル本体１の上部の一端に設けられた揺動軸７ａ周りに揺動自在に構成され、蓋体７を上側に揺動させて蓋体７を開放した状態で、本体ボディ６内への注水が可能となり、蓋体７で本体ボディ６の開口を閉止した状態で、湯の加熱が可能となる。
ケトル本体１は、その上部側に湯を注ぐための注口８を備え、この注口８のケトル本体横断方向反対側には、ケトル本体１を傾けて注口８から湯を注ぐために手で把持するハンドル９を備え、さらに、注口８とハンドル９との間に、注口８側から、蓋体７の開閉のための蓋体開閉操作部１０を備えるとともに、蒸気口１１を備えている。
注口８の内部側には、給湯制御用の弁１２が設けられており、この弁１２が、給湯操作ボタン１３の操作状況に応じて上下方向に移動制御されて、ケトル本体１を傾けても、給湯操作ボタン１３が押し込み姿勢に無い限り、注口８から湯がでることがないように構成されている。
【００１８】
ハンドル９は、ケトル本体１の上方から下方に向けて延設され、本体ボディ６内の水を加熱する加熱手段としての電気ヒータ１４が、図４に示すように、ケトル本体１の下部に円周状を成して配置されている。
そして、電気ヒータ１４への電源からの給電を断続操作するスイッチ１５が、ハンドル９の下方遊端部９ａの近傍に位置してケトル本体１の下部に設けられている。つまり、スイッチ１５が、ハンドル９の下方側のケトル本体１の側部下方部位に設けられ、図４において一点鎖線で示すように、このスイッチ１５を下側に押下げ操作することで、電気ヒータ１４による加熱を開始し、かつ、加熱を継続することができ、図４において実線で示すように、スイッチ１５が上側位置にあると、加熱開始操作を待機する（加熱しない状態で待機する）。
スイッチ１５と受電機構５とは、電気ケトルにおいて広く使用されている連動ユニット１６で連結され、その連動ユニット１６は、受電機構５と一体に外周方向に延びる固定腕部１６ｂを備えたユニット本体１６ａと、その固定腕部１６ｂの上部側に設けられ、ユニット本体１６ａに対して上下方向に揺動自在な揺動腕部１６ｃを備えて構成されている。
【００１９】
前記固定腕部１６ｂの外周側端には、ケトル本体１の上部から導かれる蒸気を検知する蒸気検知具１７（具体的には蒸気感応板からなり、蒸気に感応して変形する）が備えられ、揺動腕部１６ｃの先端は、スイッチ１５が連結されている。
ケトル本体１に設けられる受電機構５が、電源プレート２に設けられる給電機構３から電気の供給を受けられる状態で、かつ、蒸気検知具１７が蒸気を検知していない状態で、スイッチ１５は、図４の実線で示す待機姿勢に保たれる。スイッチ１５が押し下げ操作されると、揺動腕部１６ｃが下方に揺動されて電気ヒータ１４へ給電され、水の加熱が開始される（加熱維持姿勢）。
加熱により本体ボディ６内の水が沸騰すると、その蒸気がケトル本体１内の側部に設けられた蒸気路１８を介して蒸気検知具１７に到達し、この蒸気検知具１７の蒸気検知に伴って、下方に揺動姿勢保持されていた揺動腕部１６ｃの姿勢保持が解除され、上方に揺動復帰されて電気ヒータ１４への給電が停止される。同時に、スイッチ１５は、加熱維持姿勢から待機姿勢に復帰する。
【００２０】
そのスイッチ１５の外周には、図１、図５、図６などに示すように、スイッチ１５の周囲のうち、下方を開放した状態で、その上方と左右の横側方を覆うコの字状のスイッチガード１９が、ケトル本体１から突設されている。スイッチガード１９は、スイッチ１５を保護して、ハンドル９を手で把持する際などに、誤って手指などによりスイッチ１５を誤操作するのを防止するためのもので、ケトル本体１とは別体に、例えば、透明の合成樹脂などで構成されて、ケトル本体１に取り付けられている。
スイッチ１５とスイッチガード１９は、図５（スイッチ１５やスイッチガード１９とハンドル９との関係が解りやすいように底面図で示されている）に示すように、両者とも、ケトル本体１の平面視において、ハンドル９の基端部の幅Ｄ内に位置するように、さらに、ケトル本体１の側方表面とハンドル９の側方表面とを直線状に結ぶ２本の接線ラインＬ１，Ｌ２の内側に位置するように構成されている。
それに加えて、スイッチ１５とスイッチガード１９は、両者とも、ケトル本体１の側面視において、図３に示すように、ケトル本体１の下部の底端部１ａとハンドル９の下方表面である下方遊端部９ａとを直線状に結ぶ１本の接線ラインＬ３よりケトル本体１側に位置するように構成されている。
【００２１】
したがって、例えば、ハンドル９を手で把持した際などに誤ってケトル本体１をテーブル上に倒しても、スイッチ１５とスイッチガード１９が接線ラインＬ３よりケトル本体１側に位置するので、図６に示すように、スイッチ１５やスイッチガード１９がテーブル面に当接する前に、ケトル本体１の底端部１ａとハンドル９の下方遊端部９ａがテーブル面に当接することになり、スイッチ１５やスイッチガード１９がテーブル面に当接することが回避される。
その後、ケトル本体１が横倒しになっても、スイッチ１５とスイッチガード１９が２本の接線ラインＬ１，Ｌ２の内側に位置するので、スイッチ１５やスイッチガード１９がテーブル面に当接することはなく、スイッチ１５はもとより、スイッチガード１９がテーブル面に当接して破損するようなことはない。
【００２２】
〔別実施形態〕
（１）先の実施形態では、手注ぎ式機器の一例として、ケトル本体１と電源プレート２から構成された電気ケトルを示したが、電源プレート２を備えていない電気ケトル、つまり、電源プレート２に設けられた必要部品などをケトル本体１側に設けた型式の電気ケトルにも適用することができ、さらに、電気ケトル以外にも、各種の手注ぎ式の電気ポットなどにも適用可能である。
また、ハンドル９として、その下方端部がケトル本体１に連設されることなく、ケトル本体１から離れた構成のハンドルを示したが、ハンドル９の下方端部をケトル本体１に連設し、かつ、その下方端部よりも下方にスイッチ１５とスイッチガード１９を設けるだけのスペースを確保し、そのスペースにスイッチ１５とスイッチガード１９を設けて実施することもできる。
その場合、スイッチ１５とスイッチガード１９は、ケトル本体１の下部の底端部１ａとハンドル９の下方表面９ａとを直線状に結ぶ接線ラインＬ３よりケトル本体１側に位置するように構成することになる。
【００２３】
（２）先の実施形態では、スイッチ１５の外周にコの字状のスイッチガード１９を突設した例を示したが、スイッチ１５の上方のみを覆うスイッチガードを設けたり、スイッチ１５の左右の横側方のみを覆うスイッチガードを設けて実施することもできる。
また、スイッチガード１９については必ずしも必要なものではなく、スイッチガード１９を無くして実施することもでき、その場合には、スイッチ１５のみが、ケトル本体１の側方表面とハンドル９の側方表面とを結ぶ２本の接線ラインＬ１，Ｌ２の内側に位置し、かつ、ケトル本体１の底端部１ａとハンドル９の下方表面９ａとを結ぶ１本の接線ラインＬ３よりケトル本体１側に位置するように構成することになる。
そして、スイッチガード１９を設けるのであれば、必ずしもケトル本体１と別体に構成する必要はなく、ケトル本体１と一体的に構成することもでき、さらに、そのスイッチガード１９を不透明な材料で構成することもできる。
【産業上の利用可能性】
【００２４】
以上説明したように、給電を断続操作するスイッチを機器本体の側部下方部位に配置することを可能にし、それによって、機器本体上面の使用スペース拡大を図り、しかも、スイッチを機器本体の側部下方部位に配置することによる不都合も解消し得る手注ぎ式機器を得ることができる。
【図面の簡単な説明】
【００２５】
【図１】電気ケトルの斜視図
【図２】電気ケトルの使用状態を示す斜視図
【図３】電気ケトルの一部縦断側面図
【図４】電気ケトルの給電機構と受電機構を示す縦断面図
【図５】電気ケトルの底面図
【図６】電気ケトルの転倒過程を示す斜視図
【符号の説明】
【００２６】
１        ケトル本体（機器本体）
１ａ      ケトル本体の底端部
８        注口
９        ハンドル
９ａ      ハンドルの下方遊端部（下方表面）
１４      加熱手段
１５      スイッチ
１９      スイッチガード
Ｄ        ハンドルの幅
Ｌ１〜Ｌ３  接線ライン
【図１】
2010082381.tif 000003
【図２】
2010082381.tif 000004
【図３】
2010082381.tif 000005
【図４】
2010082381.tif 000006
【図５】
2010082381.tif 000007
【図６】
2010082381.tif 000008